(57)【要約】【課題】携帯型の作業機を吊持して使用する際の作業者の身体的な苦痛を軽減することのできる農作業機吊持用ベルトを提供することを目的とするものである。【解決手段】肩等に吊持される携帯型の農作業機２に取り付けられる吊持用のベルトであって、ベルト本体１０に、磁石等の健康促進部材３０が取り付けられていることにより、健康促進効果と指圧効果とが相乗的に発揮されて上記課題を解決する。【選択図】  図１
2004275062.tif 000002
【特許請求の範囲】
【請求項１】
肩等に吊持される携帯型の農作業機に取り付けられる吊持用のベルトであって、ベルト本体に、磁石等の健康促進部材が取り付けられていることを特徴とする農作業機吊持用ベルト。
【請求項２】
前記健康促進部材は、ベルト本体に可撓性を有する素材で被覆されて埋設されるか、あるいはベルト本体の肩等に接する面側に突設されていることを特徴とする請求項１記載の農作業機吊持用ベルト。
【発明の詳細な説明】
【０００１】
【発明の属する技術分野】
本発明は、肩等に吊持される携帯型の農作業機に取り付けられる吊持用のベルトに関するものである。
【０００２】
【従来の技術】
肩等に吊持される携帯型の農作業機としては、例えば刈り払い機や防除機等の農作業機が知られている。このような携帯型の農作業機では、作業者が農作業機を肩や腰に吊ったり、背負ったりして作業が行われる。例えば、刈り払い機では、草刈り用の刃物を駆動するためのエンジンを、作業者が吊りベルトで吊って肩に掛けて作業が行われる。また、防除機では、害虫の予防や駆除のための薬液を入れた薬槽や、この薬液を散布するためのポンプを、背負子で背負ったりベルトで吊ったりして作業が行われる。
【０００３】
【発明が解決しようとする課題】
上述したような携帯型の農作業機は、携帯のために小型化されてはいるものの、エンジンやポンプ、薬槽等は、携帯するには重量物である。このような重量物を吊りベルト等で担いでいるので、これらのベルトが掛かる作業者の肩や腰は、重量を集中して受けるために負担が大きい。特に作業が長時間化すると、作業者の疲労や肩こり、腰痛等が増大して作業効率も低下しがちで、改善が要望されていた。
【０００４】
本発明は、上述の課題を解消し、携帯型の作業機を吊持して使用する際の作業者の身体的な苦痛を軽減することのできる農作業機吊持用ベルトを提供することを目的とするものである。
【０００５】
【課題を解決するための手段】
前記課題を解決するために、請求項１に記載の発明における農作業機吊持用ベルトは、肩等に吊持される携帯型の農作業機に取り付けられる吊持用のベルトであって、ベルト本体に、磁石等の健康促進部材が取り付けられていることを特徴とするものである。
【０００６】
また、請求項２に記載の発明は請求項１に記載の農作業機吊持ベルトにおいて、前記健康促進部材は、ベルト本体に可撓性を有する素材で被覆されて埋設されるか、あるいはベルト本体の肩等に接する面側に突設されていることを特徴とするものである。
【０００７】
【発明の実施の形態】
以下、本発明を図面に基づいて説明する。図１は本発明の農作業機吊持用ベルトを適用した刈り払い機を示す図、図２はベルト本体の部分的平面図、図３はベルト本体の部分的断面図、図４はベルト本体の他の実施の形態の部分的断面図である。
【０００８】
本発明の農作業機吊持用ベルト１（以下、吊持用ベルト１と記載する）は、肩等に吊持される携帯型の農作業機２に取り付けられる吊持用のベルトであって、ベルト本体１０に、磁石等の健康促進部材３０が取り付けられていることを特徴としている。
【０００９】
図１には、作業者３が農作業機２として刈り払い機を担いで作業している状況を示している。刈り払い機は、長く延びる操作杆２１の後端部に取り付けられるエンジン動力部２２と、操作杆２１の前端部に取り付けられている刈刃２３とを有している。刈刃２３は、操作杆２１の伝動軸（図示せず）を介してエンジン動力部２２から伝達される動力により回転する。刈刃２３の後方側は、刈刃２３に当たった石等の飛び散りを避けるために安全カバー２４で覆われている。
【００１０】
吊持用ベルト１は、帯状のベルト本体１０が、その端部に備えられた係止具（図示せず）によって、エンジン動力部２２に着脱式に取り付けられている。ベルト本体１０は、作業者３の肩に斜めに掛け渡す肩ベルト１１と、作業者３の腰にまわす腰ベルト１２とを備えている。そして、肩ベルト１１には、肩に当接して農作業機２の重量の負荷を受ける部分に、広幅形状で他の部位よりも厚みを厚く形成された肩当部１３が一体で形成されている。
【００１１】
この肩当部１３は、作業者２の肩に当たった際の感触をやわらげるために、図３に示すように、内部に芯材１４が配設されている。芯材１４は、例えば合成樹脂材や厚紙材等の可撓性を有する材料で形成されるが、クッション性を付加してもよい。そして、この芯材１４には、図２及び図３に示すように所定間隔をあけて複数の孔部１５が穿設されており、健康促進部材３０を嵌め込むことができるようになっている。図２では、一例として６個の円形の孔部１５が形成された状態を図示している。
【００１２】
健康促進部材３０として、この実施の形態では、磁石３１が適用されており、この磁石３１は、孔部１５にきっちりと嵌まり込む大きさの円盤状に形成されている。磁石には、血行を良くして凝りをとり疲労を回復する健康促進効果があることが公知であるため、磁石３１の種類や磁束密度には、このような健康促進効果を目的として使用する公知の技術を適用する。なお各孔部１５に配置される磁石の磁束密度は、必ずしも同一である必要はなく、対向する作業者３の身体の箇所に応じて変えてもよい。
【００１３】
芯材１４の表面（外部から見える側の面）と裏面（作業者３側の面）には、それぞれ表材１７と裏材１８が配設され、磁石３１を被覆して縫着されている。これにより、磁石３１の位置ズレや脱落が防止されている。表材１７及び裏材１８には、合成樹脂材、皮革、織物等の可撓性を有する素材が適用される。そのため、磁石３１は、芯材１４、表材１７及び裏材１８の可撓性を有する素材で囲まれて、ベルト本体１０の肩当部１３に埋設されている。
【００１４】
上記構成では、作業者３が農作業機２として刈り払い機を使用する際に、まず吊持用ベルト１の肩ベルト１１が作業者３の肩に掛けられ、腰ベルト１２が腰に巻きつけられる。肩当部１３が、農作業機２の重量を受ける肩の部分に当接しているため、肩当部１３に埋設された磁石１６も前記肩の部分に対向して配置される。そして、この状態で既に、磁石３１の磁力が作業者３の肩に作用し、血行を良くする等の健康促進効果が発揮されている。
【００１５】
次に、作業の開始によってエンジン動力部２２が駆動されると、エンジン動力部２２の振動が吊持用ベルト１に伝達する。肩当部１３では、磁石３１が芯材１４や裏材１８の可撓性やクッション性を有する素材に囲まれて埋設されているため、肩当部１３に振動が伝わると、磁石３１の硬さが作業者３側へ振動とともに押し付けられるように作用し、指圧効果が発揮される。そして、この指圧効果と前述した磁石３１本来の健康促進効果とが相乗的に作用し、作業者３の疲労を大幅に軽減することができる。特に長時間の作業においては、健康促進効果や指圧効果が長時間発揮されるので、従来の作業と比較して疲労度が著しく改善される。
【００１６】
また、既存の身体に貼り付けるタイプの健康促進部材であれば、身体への貼り付けや取り外しが煩わしいが、本発明の健康促進部材３０は、ベルト本体１０に取り付けられているため、着脱の煩わしさが全くなく、きわめて容易に利用できる。
【００１７】
なお、本発明の実施の形態は、上述のように、肩ベルト１１の肩当部１３に磁石３１を埋設するだけでなく、肩ベルト１１の肩当部１３以外の部位に磁石３１を取り付けたり、腰ベルト１２に磁石３１を取り付けたりして、健康促進効果及び指圧効果を発揮する部位を拡大してもよい。
【００１８】
また、上述の肩当部１３を肩ベルト１１と別体で形成し、かつ肩当部１３が肩ベルト１１の任意の位置にスライドできるよう構成することで、作業者３の好みの位置に肩当部１３を移動させて使用してもよい。
【００１９】
また、上述の説明では、図３に示すように肩当部１３に磁石３１を埋設していたが、図４に示すように裏材１８側に磁石３１の部分があらかじめ突出するように形成してもよい。図４では、芯材１４を含まない形態を図示しているが、磁石３１より厚みの薄い芯材１４を用いて突出させてもよい。これにより、磁石３１による指圧効果がさらに向上される。
【００２０】
さらに、本発明の他の実施形態として、健康促進材料３０にトルマリンを適用してもよい。トルマリンは鉱石であるが、遠赤外線を発したり、微弱電流が流れたりするため、健康促進効果を有する材料として知られている。このトルマリンは、円盤状に形成（電磁駒）したり、連鎖状に形成（電磁鎖体）したりして、ベルト本体１０に取り付けることができる。これにより、健康促進効果と指圧効果の相乗効果を発揮させて、農作業機２を使用する際の疲労を和らげることが可能となる。
【００２１】
また、他の実施形態として、健康促進材料３０である磁石とトルマリンを組み合せて、磁石とトルマリンをベルト本体１０に交互に並べて配置したりしてもよい。
【００２２】
また、上述の実施の形態では、農作業機として刈り払い機を例示していたが、その他の携帯型の農作業機に適用できることは言うまでもなく、例えば、防除機の背負いベルトに適用してもよい。また農作業機の吊持するベルトの構成も、上述した肩ベルト１１の構成に限定するものではない。
【００２３】
【発明の作用・効果】
以上に説明してきたように、請求項１に記載の発明における農作業機吊持用ベルトは、肩等に吊持される携帯型の農作業機に取り付けられる吊持用のベルトであって、ベルト本体に、磁石等の健康促進部材が取り付けられていることを特徴とするものである。これによれば、携帯型の農作業機を操作する作業者の体に掛けたり巻いたりされるベルト本体に、健康促進部材が取り付けられているため、作業者が農作業機を吊持している間は、常に健康促進部材が作業者に近接し、健康促進部材が保有する健康促進の効果が発揮され続ける。そして、農作業機が稼動すると、その振動により健康促進部材を作業者側に押し付ける力が強く作用し、指圧効果も発揮される。そのため、これら健康促進部材本来の健康促進効果と振動による指圧効果が相乗的に発揮されて、農作業機を使用する作業者の疲れや肩こりが解消され、長時間使用しても、その疲労度を大幅に低減することが可能となる。
【００２４】
また、請求項２に記載の発明は、請求項１に記載の農作業機吊持用ベルトにおいて、前記健康促進部材は、ベルト本体に可撓性を有する素材で被覆されて埋設されるか、あるいはベルト本体の肩等に接する面側に突設されていることを特徴とするものである。これによれば、健康促進部材がベルト本体に埋設される場合には、埋設により外観が向上されるとともに、振動時には可撓性を有する素材を介して作業者側に押し付けられ、指圧効果が発揮される。一方、健康促進部材がべルト本体から突設されている場合には、指圧効果がより一層向上される。
【図面の簡単な説明】
【図１】本発明の農作業機吊持用ベルトを適用した刈り払い機を示す図である。
【図２】ベルト本体の部分的平面図である。
【図３】ベルト本体の部分的断面図である。
【図４】ベルト本体の他の実施の形態の部分的断面図である。
【符号の説明】
１  農作業機吊持用ベルト
２  農作業機
３  作業者
１０  ベルト本体
１１  肩ベルト
１２  腰ベルト
１３  肩当部
１４  芯材
１５  孔部
１７  表材
１８  裏材
２１  操作杆
２２  エンジン動力部
２３  刈刃
２４  安全カバー
３０  健康促進材
３１  磁石
【図１】
2004275062.tif 000003
【図２】
2004275062.tif 000004
【図３】
2004275062.tif 000005
【図４】
2004275062.tif 000006